(57)【要約】【課題】金型構造が複雑である送り用噛合部材の成形を容易にする。【解決手段】ディスクに対して信号の記録動作及び再生動作の少なくとも１つを行う光ピックアップ６が備えられた光ピックアップ支持部材５と、外周面にネジ溝１２が形成されたリードスクリュー１１と、光ピックアップ支持部材５に固定され、ネジ溝１２に噛合される歯部１６が形成された送り用噛合部材１４とを備えて構成され、ネジ溝１２と歯部１６とが噛合する側と反対側に外れ防止板１７が設けられている。【選択図】図１
2005251289.tif 000002
【特許請求の範囲】
【請求項１】
ディスクに対して信号の記録動作及び再生動作の少なくとも１つを行う光ピックアップが備えられた光ピックアップ支持部材と、
外周面にネジ溝が形成されたリードスクリューと、
前記光ピックアップ支持部材に固定され、前記ネジ溝に噛合される歯部が形成された送り用噛合部材とを備えて構成される光ピックアップ送り装置であって、
前記ネジ溝と前記歯部とが噛合する側と反対側に外れ防止板が設けられていることを特徴とする光ピックアップ送り装置。
【請求項２】
前記外れ防止板と前記リードスクリューとの間には、前記歯部と前記送り用噛合部材とを合わせた厚さ方向の寸法よりも小さい寸法の間隙が形成されていることを特徴とする請求項１に記載の光ピックアップ送り装置。
【発明の詳細な説明】
【技術分野】
【０００１】
本発明は、光ピックアップ送り装置に関する。
【背景技術】
【０００２】
従来、円盤状の記録媒体（以下、ディスク）に対して信号の記録動作及び再生動作の少なくとも１つを行うためのディスクドライブ装置が知られている。ディスクドライブ装置は、ディスクに記録された情報の読み取り等のために、光ピックアップを所定の方向及び範囲で移動可能に支持する光ピックアップ支持部材と、モータ及びターンテーブルを具備するディスク駆動装置等が設けられた再生部とを備えて構成されており、モータによりディスクを保持した状態のターンテーブルを回転させ、光ピックアップ支持部に支持された光ピックアップがディスクに対して信号の記録及び再生、または記録若しくは再生を行うような構造になっている。
【０００３】
このようなディスクドライブ装置には、光ピックアップ１０１を移動させるために、図９から図１４に示すような光ピックアップ送り装置１０２が備えられている。光ピックアップ送り装置１０２は、一般的に、モータ１０３により外周面にらせん状のネジ溝１０４が形成されたリードスクリュー１０５を回転させ、一端が光ピックアップ支持部材１０６の所定の位置に固定された送り用噛合部材１０７の他端に形成された歯部１０８が、リードスクリュー１０５に形成されたネジ溝１０４に沿って移動することで、送り用噛合部材１０７と共に、光ピックアップ支持部材１０６をリードスクリュー１０５の軸線に沿って移動させる。
【０００４】
上述した機構を採用する光ピックアップ送り装置１０２は、部品の簡素化及び軽量化の観点から、歯部１０８がネジ溝１０４から脱落しないように、板バネ１０９の弾性力及び復元力を利用して送り用噛合部材１０７の他端を押圧することで歯部１０８とリードスクリュー１０５とを当接させる構造を有している。しかし、外部から衝撃を受けた場合、またはロングジャンプ時等においてリードスクリュー１０５を高速回転させる場合には、送り用噛合部材１０７をリードスクリュー１０５に押圧当接させていても歯部１０８が外れ易くなってしまうので、リードスクリュー１０５の高速回転を伴う動作ができないという問題が生じていた。
【０００５】
そこで、歯部１０８がリードスクリュー１０５のネジ溝１０４から外れてしまう現象（以下、歯飛び）を確実に防止すると共に、送り用噛合部材１０７のリードスクリュー１０５への押圧力を小さくしてモータ１０３にかかる負担を低減することが可能な光ピックアップ送り装置１０２として、図１２及び図１４に示すように、歯部１０８とネジ溝１０４とが噛合さる側と対向する側に外れ防止片１１０形成された送り用噛合部材１０７が備えられた光ピックアップ送り装置１０２が開発されている（例えば、特許文献１参照）。
【特許文献１】特開２００３−３６５４７号公報
【発明の開示】
【発明が解決しようとする課題】
【０００６】
しかしながら、歯部と外れ防止片とが形成された送り用噛合部材の一端は、図１１及び図１２に示すように断面形状凹状に形成されているために、成形時における送り用噛合部材の金型構造が複雑であり、その製造が困難であることから製造コストが上昇してしまう、また、送り用噛合部材の一端の成形において厳密な寸法精度が要求されるために、厳重な管理が必要とされる等といった問題が生じている。
【０００７】
さらに、外れ防止片の強度を外部からの衝撃等に耐えることが可能にするためには、外れ防止片の厚さ方向の寸法を大きくする必要があり、これによって、装置全体が大きくなるという問題が生じている。
【０００８】
本発明は前記した点に鑑みてなされたものであり、送り用噛合部材の成形し易くすると共に、装置の小型化、製造コストの抑制及び管理の簡素化を図ることが可能な光ピックアップ送り装置を提供することを目的とする。
【課題を解決するための手段】
【０００９】
請求項１に記載の発明に係る光ピックアップ送り装置は、
ディスクに対して信号の記録動作及び再生動作の少なくとも１つを行う光ピックアップが備えられた光ピックアップ支持部材と、
外周面にネジ溝が形成されたリードスクリューと、
前記光ピックアップ支持部材に固定され、前記ネジ溝に噛合される歯部が形成された送り用噛合部材とを備えて構成される光ピックアップ送り装置であって、
前記ネジ溝と前記歯部とが噛合する側と反対側に外れ防止板が設けられていることを特徴とする。
【００１０】
請求項２に記載の発明に係る光ピックアップ送り装置は、
前記外れ防止板と前記リードスクリューとの間には、前記歯部と前記送り用噛合部材とを合わせた厚さ方向の寸法よりも小さい寸法の間隙が形成されていることを特徴とする。
【発明の効果】
【００１１】
本発明によれば、ディスクに対して信号の記録動作及び再生動作の少なくとも１つを行う光ピックアップが備えられた光ピックアップ支持部材と、外周面にネジ溝が形成されたリードスクリューと、光ピックアップ支持部材に固定され、ネジ溝に噛合される歯部が形成された送り用噛合部材とを備えて構成され、ネジ溝と歯部とが噛合する側と反対側に外れ防止板が設けられているので、簡易な構造により歯飛びを防止することが可能であり、これによって、送り用噛合部材の成形し易くすると共に、装置の小型化、製造コストの抑制及び管理の簡素化を図ることができる。
【発明を実施するための最良の形態】
【００１２】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１３】
図１から図６を参照しながら、本実施形態における光ピックアップ送り装置１を説明する。ここで、図２、図４、図６は、図１、図３、図５におけるリードスクリュー１１と送り用噛合部材１４とが当接する部分をそれぞれ拡大した図である。
図１に示すように、本実施形態における光ピックアップ送り装置１は、図示しない筐体により各構成部材が覆われている。この筐体の内部には、シャーシ２が備えられており、このシャーシ２には、レール状に延在する副ガイド部材３が形成されている。ここで、副ガイド部材３が延在する方向をガイド方向Ｘとする。
筐体の内部には、ガイド方向Ｘに延在する円柱状の主ガイド部材４が副ガイド部材３に対して平行にかつ所定間隔をもって配置されており、主ガイド部材４は、両端部がネジ止め等の手段によりシャーシ２に固定支持されている。
【００１４】
主ガイド部材４と副ガイド部材３との間には、光ピックアップ支持部材５が設けられており、この光ピックアップ支持部材５には、ターンテーブル（図示せず）に保持された状態で回転しているディスク（図示せず）に対して信号の記録及び再生の少なくとも１つの動作を行うための光ピックアップ６が設けられている。
【００１５】
光ピックアップ６には、ディスクに対してレーザー光を照射するための光源（図示せず）が備えられており、ディスクと対向する面には、この光源から照射されるレーザー光をディスクの信号記録面上に集光させるための対物レンズ７が設けられている。また、この光ピックアップ６には、対物レンズ７を当該対物レンズ７の光軸方向及び当該対物レンズ７の光軸方向と直交する方向に変位させる二軸アクチュエータ（図示せず）が備えられており、二軸アクチュエータは、対物レンズ７を当該対物レンズ７の光軸方向及び当該対物レンズ７と直交する方向に変位させながら、ディスクの信号記録面上に対物レンズ７の焦点を合わせるフォーカシングサーボ、対物レンズ７により集光されるレーザー光のスポット位置を常に記録トラック上に位置させるトラッキングサーボ等の駆動制御を行うようになっている。
【００１６】
光ピックアップ支持部材５における副ガイド部材３と対向する面には、副ガイド部材３に係合される断面形状凹状の副ガイド部材受部８が設けられており、また、光ピックアップ支持部材５における主ガイド部材４と対向する面側には、主ガイド部材４が挿通される挿通孔１０が形成された主ガイド部材受部９が設けられている。そして、光ピックアップ支持部材５の副ガイド部材受部８が副ガイド部材３に係合されるとともに、主ガイド部材受部９の挿通孔１０に主ガイド部材４が挿通された状態で、光ピックアップ支持部材５が主ガイド部材４および副ガイド部材３に案内されながら、ガイド方向Ｘに沿って移動できるようになっている。
【００１７】
なお、本実施形態の主ガイド部材４の外周面には、主ガイド部材受部９と当該主ガイド部材４とが摺動して生じる削れ粉や、潤滑オイルが劣化して生じるスラッジ等を主ガイド部材４から除去し易くするための同心状の溝が設けられていてもよい。この溝は、同心状に限定されず、らせん状に設けられていてもよいし、溝の代わりに複数の孔が穿設されていてもよい。また、溝の幅、深さ、形状等は、主ガイド部材４の強度、発生するスラッジ等の量、光ピックアップ支持部材５との摺動のし易さ等を考慮して決定すればよい。さらに、この溝は、主ガイド部材４に限らず、副ガイド部材３にも設けられていてもよい。
【００１８】
主ガイド部材４の光ピックアップ６の配設側と反対側には、主ガイド部材４と平行に配置された円柱状のリードスクリュー１１が図示しない軸受により回転自在に設けられており、リードスクリュー１１の外周面には、らせん状のネジ溝１２が設けられている。
【００１９】
リードスクリュー１１の一端には、モータ１３が図示しない回転伝達機構を介して連結されている。回転伝達機構は、例えば、ウォーム及びウォームホイール（共に図示せず）から構成されており、モータ１３の駆動力をウォーム及びウォームホイールを介してリードスクリュー１１に伝達することにより、リードスクリュー１１を回転駆動するようになっている。
【００２０】
また、光ピックアップ６の主ガイド部材４側の上方には、先端部がリードスクリュー１１の上方に延在する送り用噛合部材１４が取付けられており、この送り用噛合部材１４の先端部下面には、リードスクリュー１１に設けられたネジ溝１２に噛合される歯部１６が突設されている。送り用噛合部材１４の上面には、弾性変形可能な合成樹脂等から形成された板バネ１５が備えられており、板バネ１５の一端が光ピックアップ支持部材５にネジ止めにより固定されるとともに、他端がリードスクリュー１１の上方に位置するように配置されている。
【００２１】
シャーシ２には、平面状を有し先端部がリードスクリュー１１との間に送り用噛合部材１４が位置するように対向する外れ防止板１７が取付けられており、この外れ防止板１７により、送り用噛合部材１４がリードスクリュー１１から離間する方向（以下、離間方向Ｙという。）に移動することを規制し、送り用噛合部材１４の歯部１６がネジ溝１２から外れることを防止するようになっている。また、外れ防止板１７は、図６に示すように、リードスクリュー１１に対して所定の間隙が形成されるようにして配置されており、この間隙の寸法Ａは、歯部１６の頂上部から底面までの厚さ方向の寸法と、送り用噛合部材１４の厚さ方向の寸法とを合わせた寸法Ｂよりも小さい値となるように形成されている。
【００２２】
次に、本実施形態の作用について説明する。
所定の情報が光ピックアップ送り装置１に送信されると、モータ１３が回転して、回転伝達機構を介してモータ１３の駆動力がリードスクリュー１１に伝達される。この駆動力によりリードスクリュー１１が回転駆動され、リードスクリュー１１のネジ溝１２に噛合された送り用噛合部材１４の歯部１６がガイド方向Ｘに力を受けることで、送り用噛合部材１４と共に、光ピックアップ支持部材５がガイド方向Ｘに移動される。
【００２３】
その後、ターンテーブルに保持された状態で回転しているディスクの信号記録面に対して、光ピックアップ６に備えられた対物レンズ７によって集光されたレーザー光を照射することにより、信号の記録及び再生、または記録若しくは再生が行われる。
【００２４】
さらに、上述した一連の動作が行われて、光ピックアップ６によるディスクに対する信号の記録動作及び再生動作の少なくとも１つの動作が終了する。
【００２５】
上述したように、リードスクリュー１１を通常の速度で回転させた場合には、送り用噛合部材１４における歯部１６は、合成樹脂等で形成された板バネ１５の弾性力及び復元力により常時リードスクリュー１１を押圧しているが、外部からの衝撃を受けた場合、またはリードスクリュー１１を高速回転させる場合等には、ネジ溝１２の側面からガイド方向Ｘに力を受けることによりネジ溝１２から外れる方向、すなわち離間方向Ｙに移動しようとする。
【００２６】
このとき、外れ防止板１７と、リードスクリュー１１との間に形成された間隙の寸法Ｃが、歯部１６の頂上部から底面までの厚さ方向の寸法と、送り用噛合部材１４の厚さ方向の寸法とを合わせた寸法Ｂよりも小さい値となるように形成されているため、離間方向Ｙに移動しようとする送り用噛合部材１４は、当該送り用噛合部材１４の離間方向Ｙに設けられた外れ防止板１７と当接してその移動が規制されるので、歯部１６がネジ溝１２から外れることが無く、歯飛びの防止を図ることが可能である。また、外れ防止板１７が設けられることで、送り用噛合部材１４の押圧力は、必要最小限の値で済ますことが可能である。
【００２７】
以上より、本実施形態によれば、ネジ溝１２と歯部１６とが噛合する側と反対側に外れ防止板１７が設けられているので、簡易な構造により外部からの衝撃等から生じる歯飛びを防止することが可能であり、これによって、送り用噛合部材１４の成形し易くすると共に、装置の小型化、製造コストの抑制及び管理の簡素化を図ることができる。
【００２８】
なお、本発明に係る光ピックアップ送り装置１は、上記した実施形態に限定されず、例えば、図７に示すように、外れ防止板１７は、光ピックアップ６の待機位置等のように、リードスクリュー１１と並行する限定された位置に設けられているものであってもよい。
【００２９】
また、図８に示すように、送り用噛合部材１４において、歯部１６が設けられている面と反対側に凸部１７が突設されているものであってもよい。送り用噛合部材１４に凸部１８を設ける場合には、外れ防止板１７とリードスクリュー１１との間に形成された間隙の寸法Ａが、歯部１６の頂上部から凸部１８の頂上部までの厚さ方向の寸法Ｃよりも小さい値となるように形成すればよい。
【図面の簡単な説明】
【００３０】
【図１】本実施形態における光ピックアップ送り装置を示す正面図である。
【図２】本実施形態における光ピックアップ送り装置のリードスクリューと送り用噛合部材とが当接する部分を示す拡大図である。
【図３】本実施形態における光ピックアップ送り装置を示す右側面図である。
【図４】本実施形態における光ピックアップ送り装置のリードスクリューと送り用噛合部材とが当接する部分を示す拡大図である。
【図５】本実施形態における光ピックアップ送り装置を示す平面図である。
【図６】本実施形態における光ピックアップ送り装置のリードスクリューと送り用噛合部材とが当接する部分を示す拡大図である。
【図７】本発明に係る光ピックアップ送り装置の変形例における正面図である。
【図８】本発明に係る光ピックアップ送り装置の変形例におけるリードスクリューと送り用噛合部材とが当接する部分を示す拡大図である。
【図９】従来技術における光ピックアップ送り装置を示す正面図である。
【図１０】従来技術における光ピックアップ送り装置のリードスクリューと送り用噛合部材とが当接する部分を示す拡大図である。
【図１１】従来技術における光ピックアップ送り装置を示す右側面図である。
【図１２】従来技術における光ピックアップ送り装置のリードスクリューと送り用噛合部材とが当接する部分を示す拡大図である。
【図１３】従来技術における光ピックアップ送り装置を示す平面図である。
【図１４】従来技術における光ピックアップ送り装置のリードスクリューと送り用噛合部材とが当接する部分を示す拡大図である。
【符号の説明】
【００３１】
１  光ピックアップ送り装置
５  光ピックアップ支持部材
６  光ピックアップ
１１  リードスクリュー
１２  ネジ溝
１４  送り用噛合部材
１６  歯部
１７  外れ防止板
【図１】
2005251289.tif 000003
【図２】
2005251289.tif 000004
【図３】
2005251289.tif 000005
【図４】
2005251289.tif 000006
【図５】
2005251289.tif 000007
【図６】
2005251289.tif 000008
【図７】
2005251289.tif 000009
【図８】
2005251289.tif 000010
【図９】
2005251289.tif 000011
【図１０】
2005251289.tif 000012
【図１１】
2005251289.tif 000013
【図１２】
2005251289.tif 000014
【図１３】
2005251289.tif 000015
【図１４】
2005251289.tif 000016